(57)【要約】【課題】トルク密度・出力密度のより大きいアウターロータ型の永久磁石型同期電動機を提供する。【解決手段】固定軸２３に直接、もしくは非磁性体の支持部材２２を介して固定された電機子を有するステータ２Ａ，２Ｂと、固定軸２３に軸受け部材５を介して回転可能に支持されたブラケット４の内面に永久磁石からなる界磁を有するロータ３Ａ，３Ｂとを含むアウターロータ式の永久磁石型同期電動機において、電機子２Ａ，２Ｂの外径側のラジアル面と、電機子２Ａ，２Ｂの両側のアキシャル面とに、それぞれエアギャップＧ１〜Ｇ３を介してロータ３Ａ，３Ｂを対向して配置し、電機子２Ａ，２Ｂから空間的および時間的に同一極性となる回転磁界を発生させるとともに、ロータ３Ａ，３Ｂから空間的に同一極性となる磁界を発生させ、ラジアル面側のエアギャップおよびアキシャル面の２つのエアギャップを含む３つのエアギャップで同一回転方向のトルクおよび回転出力を得る。【選択図】図１
2014230390.tif 000002
【特許請求の範囲】
【請求項１】
固定軸に固定された電機子を有するステータと、上記固定軸に軸受け部材を介して回転可能に支持されたブラケットの内面に界磁を有するロータとを含み、上記ロータが上記ステータの外側に配置されているアウターロータ式の永久磁石型同期電動機において、
上記電機子の外径側のラジアル面と、上記固定軸の軸方向に沿った上記電機子の両側のアキシャル面とに、それぞれエアギャップを介して上記界磁が対向的に配置され、上記電機子から空間的および時間的に同一極性となる回転磁界を発生させるとともに、上記界磁から空間的に同一極性となる磁界を発生させ、上記ラジアル面側のエアギャップおよび上記アキシャル面の２つのエアギャップを含む３つのエアギャップで同一回転方向のトルクおよび回転出力を得るようにしたことを特徴とする永久磁石型同期電動機。
【請求項２】
上記電機子は、断面四角形の環状鉄心を有し、上記環状鉄心の表面には、その鉄心中心線を旋回する環状のスロットが周方向に所定の間隔をもって複数形成されており、上記各スロット内に、空間的および時間的に同一極性となる回転磁界を発生させるトロイダル巻線が施され、上記電機子鉄心は、非磁性体からなる支持部材を介して上記固定軸に固定されていることを特徴とする請求項１に記載の永久磁石型同期電動機。
【請求項３】
上記電機子は、断面四角形の環状鉄心を有し、上記環状鉄心には、電機子巻線が施されるスロットが円周方向に沿って所定の間隔をもって配置され、隣接する上記スロット間には、上記環状鉄心の外径面および両側面を含み、円周方向の幅が半径方向外側に向けて漸次大きくなる扇状の電機子ティースが形成されており、上記各スロット内で上記電機子ティースの外径面および両側面の各周縁に沿わせて、空間的および時間的に同一極性となる回転磁界を発生させる集中巻電機子巻線が巻回されていることを特徴とする請求項１に記載の永久磁石型同期電動機。
【請求項４】
上記ブラケットが強磁性体からなり、上記界磁として、上記電機子の外径側のラジアル面に対向する第１永久磁石および上記電機子の両側のアキシャル面に対向する２つの第２永久磁石の組み合わせからなり、上記第１，第２永久磁石の磁化方向がともに同方向でかつ上記エアギャップ面と垂直である永久磁石ユニットを複数備え、上記各永久磁石ユニットが交互に磁化方向を逆として円周方向に所定の間隔をもって上記ブラケットの内面に一体的に貼着されていることを特徴とする請求項１ないし３のいずか１項に記載の永久磁石型同期電動機。
【請求項５】
上記ブラケットが非磁性体からなり、上記界磁として、上記電機子の外径側のラジアル面に対向する第１永久磁石および上記電機子の両側のアキシャル面に対向する２つの第２永久磁石の組み合わせからなる複数の永久磁石ユニットと、上記電機子の外径側のラジアル面に対向する第１界磁ティースおよび上記電機子の両側のアキシャル面に対向する２つの第２界磁ティースの組み合わせからなる複数の界磁ティースユニットとを備え、
上記永久磁石ユニットと上記界磁ティースユニットとが、上記ブラケットの内面に円周方向に沿って交互に配置され、かつ、上記各永久磁石ユニットの磁化方向が円周方向であり、上記界磁ティースユニットを挟んで隣接する上記永久磁石ユニットの極性が逆向きであることを特徴とする請求項１ないし３のいずか１項に記載の永久磁石型同期電動機。
【発明の詳細な説明】
【技術分野】
【０００１】
本発明は、ステータの周りにロータを配置したアウターロータ式の永久磁石型同期電動機に関し、さらに詳しく言えば、ラジアルエアギャップとアキシャルエアギャップの両エアギャップを有効に利用してトルク密度・出力密度を増大させた永久磁石型同期電動機に関するものである。
【背景技術】
【０００２】
アウターロータ式の永久磁石型同期電動機は、ステータの周りにロータを配置してなる電動機で、図８に示すように、基本的な構成として、電機子１１１を有するステータ１１０と、永久磁石を界磁１２１とするロータ１２０とを備え、電機子１１１は、図示しない電機子巻線が施された状態で、非磁性体からなる支持部材１１２を介して固定軸１３０に固定される。
【０００３】
これに対して、ロータ１２０側の界磁１２１は、ラジアルベアリング等の軸受け部材１２２を介して固定軸１３０に回転可能に支持されたブラケット１２３の内面に、電機子１１１の外径面であるラジアル面と所定空隙幅であるエアギャップ（ラジアルエアギャップ）Ｇを介して対向するように配置される。
【０００４】
アウターロータ式の永久磁石型同期電動機において、トルク密度および出力密度は、永久磁石にネオジム磁石などの希土類系磁石を用いるかどうかは別として、基本的には、界磁と電機子とが対向するエアギャップの面積に依存する。
【０００５】
しかしながら、図８の構成では、鎖線で示す楕円で囲んだ部分、すなわち電機子１１１の両アキシャル面側にエアギャップが形成されていないため、トルク密度および出力密度をより増大させることが困難であるばかりでなく、スペース的にも無駄がある。
【０００６】
そこで、図９に示すように、電機子１１１のラジアル側の両面に、それぞれエアギャップＧ１，Ｇ２を介して界磁１２１，１２１を配置した二重ラジアルエアギャップを有するアウターロータ式の永久磁石型同期電動機が提案されている（例えば、特許文献１参照）。
【０００７】
この永久磁石型同期電動機によれば、２つのラジアルエアギャップＧ１，Ｇ２を有し、エアギャップ面積が増える分、トルク密度および出力密度を増大させることができるが、上記と同様に、図９に鎖線で示す楕円で囲んだ部分の電機子１１１の両アキシャル面側にエアギャップが形成されていないため、トルク密度および出力密度を増大をはかるにしても限界がある。また、スペース的にも無駄がある。
【０００８】
また、アウターロータ式とは別に、図１０に示すように、円板型の界磁１２１を有する２つのロータ１２０，１２０の間に、エアギャップＧ１，Ｇ２を介してステータ１１０の電機子１１１を配置した二層アキシャルエアギャップ式のアキシャル永久磁石型同期電動機がある（例えば、特許文献２参照）。
【０００９】
しかしながら、このアキシャルエアギャップ式の永久磁石型同期電動機においては、図１０に鎖線で示す楕円で囲んだ部分、すなわち電機子１１１のラジアル面にエアギャップが形成されない。したがって、ラジアルトルクが得られず、トルク密度および出力密度をより大きくすることができない。また、上記アウターロータ式と同様に、スペース的にも無駄がある。
【先行技術文献】
【特許文献】
【００１０】
【特許文献１】特開２００４−３０４９５８号公報
【特許文献２】特開２００８−３０４４７４号公報
【発明の概要】
【発明が解決しようとする課題】
【００１１】
モータの力（トルク）は、界磁による直流磁束と電機子による交流磁束とが、界磁と電機子とが対向して形成されるエアギャップにおいて相互に作用して発生する引力−斥力（マクスウェル応力）の運動方向成分の総和に比例する。すなわち、
モータの力（トルク）∝〔電機子の交流磁束の大きさ〕×〔界磁の直流磁束の大きさ〕
で表される。
【００１２】
ここで、モータのサイズ、電気装荷、磁気装荷およびエアギャップ長をほぼ一定と仮定すると、電機子の交流磁束密度および界磁の直流磁束密度はほぼ一定になるので、次の２つの式が成立する。
〔電機子の交流磁束の大きさ〕∝〔電機子と界磁が対向する有効なエアギャップ面積〕  〔界磁の直流磁束の大きさ〕∝〔電機子と界磁が対向するエアギャップ面積〕
【００１３】
これらの式から、電機子および界磁の磁束の大きさを大きくするには、電機子と界磁とが対向する有効なエアギャップの面積を大きくすればよいことが分かる。
【００１４】
したがって、本発明の課題は、アウターロータ式の永久磁石型同期電動機において、大トルク密度・出力密度を得るため、電機子と界磁とが対向する有効なエアギャップの面積を大きくすることにある。
【課題を解決するための手段】
【００１５】
上記課題を解決するため、本発明は、固定軸に固定された電機子を有するステータと、上記固定軸に軸受け部材を介して回転可能に支持されたブラケットの内面に界磁を有するロータとを含み、上記ロータが上記ステータの外側に配置されているアウターロータ式の永久磁石型同期電動機において、
上記電機子の外径側のラジアル面と、上記固定軸の軸方向に沿った上記電機子の両側のアキシャル面とに、それぞれエアギャップを介して上記界磁が対向的に配置され、上記電機子から空間的および時間的に同一極性となる回転磁界を発生させるとともに、上記界磁から空間的に同一極性となる磁界を発生させ、上記ラジアル面側のエアギャップおよび上記アキシャル面の２つのエアギャップを含む３つのエアギャップで同一回転方向のトルクおよび回転出力を得るようにしたことを特徴としている。
【００１６】
本発明には、上記電機子の第１態様として、上記電機子は、断面四角形の環状鉄心を有し、上記環状鉄心の表面には、その鉄心中心線を旋回する環状のスロットが周方向に所定の間隔をもって複数形成されており、上記各スロット内に、空間的および時間的に同一極性となる回転磁界を発生させるトロイダル巻線が施され、上記電機子鉄心は、非磁性体からなる支持部材を介して上記固定軸に固定されている態様が含まれる。
【００１７】
本発明には、上記電機子の第２態様として、上記電機子は、断面四角形の環状鉄心を有し、上記環状鉄心には、電機子巻線が施されるスロットが円周方向に沿って所定の間隔をもって配置され、隣接する上記スロット間には、上記環状鉄心の外径面および両側面を含み、円周方向の幅が半径方向外側に向けて漸次大きくなる扇状の電機子ティースが形成されており、上記各スロット内で上記電機子ティースの外径面および両側面の各周縁に沿わせて、空間的および時間的に同一極性となる回転磁界を発生させる集中巻電機子巻線が巻回されている態様が含まれる。
【００１８】
本発明には、上記界磁側の第１態様として、上記ブラケットが強磁性体からなり、上記界磁として、上記電機子の外径側のラジアル面に対向する第１永久磁石および上記電機子の両側のアキシャル面に対向する２つの第２永久磁石の組み合わせからなり、上記第１，第２永久磁石の磁化方向がともに同方向でかつ上記エアギャップ面と垂直である永久磁石ユニットを複数備え、上記各永久磁石ユニットが交互に磁化方向を逆として円周方向に所定の間隔をもって上記ブラケットの内面に一体的に貼着されている態様が含まれる。
【００１９】
また、本発明には、上記界磁側の第２態様として、上記ブラケットが非磁性体からなり、上記界磁として、上記電機子の外径側のラジアル面に対向する第１永久磁石および上記電機子の両側のアキシャル面に対向する２つの第２永久磁石の組み合わせからなる複数の永久磁石ユニットと、上記電機子の外径側のラジアル面に対向する第１界磁ティースおよび上記電機子の両側のアキシャル面に対向する２つの第２界磁ティースの組み合わせからなる複数の界磁ティースユニットとを備え、上記永久磁石ユニットと上記界磁ティースユニットとが、上記ブラケットの内面に円周方向に沿って交互に配置され、かつ、上記各永久磁石ユニットの磁化方向が円周方向であり、上記界磁ティースユニットを挟んで隣接する上記永久磁石ユニットの極性が逆向きである態様が含まれる。
【発明の効果】
【００２０】
本発明によれば、ステータ側の電機子とロータ側の界磁との間に、ラジアルエアギャップと２つのアキシャルエアギャップを設け、この３つのエアギャップにおける磁界の極性を、電機子にあっては時間的・空間的に同極性となるようにし、界磁にあっては空間的に同極性となるようにしたことにより、トルク密度・出力密度をより増大させたアウターロータ式の永久磁石型同期電動機を得ることができる。
【図面の簡単な説明】
【００２１】
【図１】本発明の第１実施形態に係る永久磁石型同期電動機を示す模式的な断面図。
【図２】上記第１実施形態におけるステータの（ａ）正面図，（ｂ）そのＡ−Ａ線断面図。
【図３】上記第１実施形態における電機子巻線と交流電源の接続状態を示す結線図。
【図４】上記第１実施形態におけるロータの半周分を示す図１のＢ−Ｂ線に沿った模式的な断面図。
【図５】本発明の第２実施形態に係る永久磁石型同期電動機が備えるステータの（ａ）正面図，（ｂ）そのＣ−Ｃ線断面図，（ｃ）電機子巻線の巻線形態を示す模式的な斜視図。
【図６】上記第２実施形態における電機子巻線と交流電源の接続状態を示す結線図。
【図７】上記第２実施形態におけるロータの半周分を示す（ａ）模式的な断面図，（ｂ）そのＤ−Ｄ線断面図。
【図８】第１従来例として、１つのラジアルエアギャップを有するアウターロータ式の永久磁石型同期電動機の構成を示す模式的な断面図。
【図９】第２従来例として、２つのラジアルエアギャップを有するアウターロータ式の永久磁石型同期電動機を示す模式的な断面図。
【図１０】第３従来例として、２つのアキシャルエアギャップを有する永久磁石型同期電動機を示す模式的な断面図。
【発明を実施するための形態】
【００２２】
次に、図１ないし図７を参照して、本発明のいくつかの実施形態について説明するが、本発明はこれに限定されるものではない。
【００２３】
図１に示すように、第１実施形態に係る永久磁石型同期電動機１Ａは、基本的な構成として、ステータ２Ａと、ステータ２Ａの外側の周りに配置されたロータ３Ａとを備え、全体がブラケット４によって覆われたアウターロータ式の電動機である。
【００２４】
この実施形態において、ブラケット４は、ステータ２Ａが固定される固定軸２３の軸線方向に沿って２分割されており、一方の第１ブラケット４１は、円筒カップ状に形成されており、その中央部分には、固定軸２３が挿通される挿通孔４１１が設けられている。
【００２５】
他方の第２ブラケット４２は、第１ブラケット４１の開口部を塞ぐ蓋部材として形成され、その中央部分には、固定軸２３が挿通される挿通孔４２１が設けられている。
【００２６】
第１ブラケット４１と第２ブラケット４２の開口部側にはともに、フランジ部４１２，４２２が形成されており、フランジ部４１２，４２２同士を互いに突き合わせた状態で図示しない例えばネジによってネジ止めすることにより、ブラケット４１，４２同士が強固に連結される。各ブラケット４１，４２は溶接されてもよい。
【００２７】
ブラケット４は、上記挿通孔４１１，４２１の部分にラジアル軸受け５，５を有し、ラジアル軸受け５，５を介して固定軸２３に回転可能に支持される。
【００２８】
図２（ａ），（ｂ）を併せて参照して、この第１実施形態におけるステータ２Ａは、電機子としての環状に形成された鉄心２１を有し、この環状鉄心２１は、アルミニウム材や合成樹脂材等の非磁性体からなる支持部材２２を介して固定軸２３に固定される。
【００２９】
環状鉄心２１は、円盤状に打ち抜かれた例えば電磁鋼板を、軸線方向（図２（ｂ）では左右方向）に複数枚積層することにより構成され、積層状態における半径方向に沿った断面は四角形状である。環状鉄心２１は、電磁鋼鈑積層鉄心のほかに、圧粉鉄心もしくは焼結鉄心であってもよい。
【００３０】
この第１実施形態において、環状鉄心２１には、電機子巻線Ｃを巻回するためのスロット（溝）２１１が、環状鉄心２１の中心線を旋回するように環状に形成されている。すなわち、スロット２１１は、同一の半径線上において環状鉄心２１の外径面、両側面および内径面にかけて一連に形成されている。
【００３１】
スロット２１１は、その複数個が環状鉄心２１の円周方向に沿って所定の間隔で配置されており、その各々に電機子巻線Ｃがトロイダル巻線として巻線される。この第１実施形態に係る永久磁石型同期電動機１は三相８極であり、スロット２１１は、１５°間隔で２４箇所に設けられており、隣接するスロット２１１，２１１の間の鉄心部分が、電機子ティース２１２として作用する。
【００３２】
図３の結線図に、図２（ａ）における三相８極のトロイダル巻線と、三相交流電源（Ｖｕ，Ｖｖ，Ｖｗ）との接続状態を示す。なお、図２（ａ），図３において、Ｕ相，Ｖ相，Ｗ相中のアッパーラインが付されている巻線は、アッパーラインが付されていない巻線とは逆巻きであることを示している。
【００３３】
このトロイダル巻線のＵ相（Ｕ１＋Ｕ２＋Ｕ３＋Ｕ４，Ｕ１＋Ｕ２＋Ｕ３＋Ｕ４）、Ｖ相（Ｖ１＋Ｖ２＋Ｖ３＋Ｖ４，Ｖ１＋Ｖ２＋Ｖ３＋Ｖ４）、Ｗ相（Ｗ１＋Ｗ２＋Ｗ３＋Ｗ４，Ｗ１＋Ｗ２＋Ｗ３＋Ｗ４）に対して、三相交流電源より三相交流を通電することにより、環状鉄心２１には、最外径面側のラジアル部と、両側面のアキシャル部とに、空間的・時間的に同極の回転磁界が発生し、ロータ３Ａ側の界磁との間でマックスウェルの応力が働き、所定方向に回転トルクが発生する。
【００３４】
次に、図１および図４を参照して、この第１実施形態におけるロータ３Ａについて説明する。ロータ３Ａは、各極（この例では８極）ごとに、界磁としての３つの永久磁石３１，３２，３３を含む永久磁石ユニット３０を備えている。
【００３５】
このうち、永久磁石３１はラジアル側で、電機子としての環状鉄心２１の外径側のラジアル面に対して、エアギャップ（ラジアルエアギャップ）Ｇ１を介して対向的に配置される。
【００３６】
永久磁石３２，３３はアキシャル側で、永久磁石３２は、環状鉄心２１の図１において左側の側面に対して、エアギャップ（アキシャルエアギャップ）Ｇ２を介して対向的に配置される。同様、永久磁石３３は、環状鉄心２１の図１において右側の側面に対して、エアギャップ（アキシャルエアギャップ）Ｇ３を介して対向的に配置される。エアギャップＧ１，Ｇ２，Ｇ３は、それぞれ等幅であることが好ましい。
【００３７】
なお、図４は図１のＢ−Ｂ線断面図であるため、図４には図１において左側の永久磁石３２が示されていないが、図４において永久磁石３２は永久磁石３３の紙面手前側に配置されていると理解されたい。
【００３８】
この第１実施形態において、ブラケット４は強磁性体からなり、永久磁石３１，３２，３３は、ＳＰＭ（Ｓｕｒｆａｃｅ  Ｐａｒｍａｎｅｎｔ  Ｍａｇｎｅｔ：表面磁石型）方式としてブラケット４の内面に貼着されるが、その磁化方向（着磁方向）は、永久磁石ユニット３０単位で、永久磁石３１，３２，３３ともに同方向で環状鉄心２１側に向き、回転方向に対しては直角である。
【００３９】
図４に示すように、永久磁石ユニット３０（永久磁石３１，３２，３３）は、所定の間隔をもって円周方向に沿って配置されるが、その磁化方向は交互に逆となる。すなわち、８極の場合、例えば奇数極でエアギャップ面側がＮ極であるとすれば、偶数極ではエアギャップ面側がＳ極となる。
【００４０】
このように、上記第１実施形態によれば、ステータ（電機子）２Ａの外径面側のラジアル面と、両側面側の２つのアキシャル面の３面に対向させて、ロータ３Ａの界磁である永久磁石を配置して、ラジアルエアギャップとアキシャルエアギャップの複合型エアギャップを採用することにより、より大きなトルク密度・出力密度が得られるアウターロータ式の永久磁石型同期電動機を提供することができる。
【００４１】
次に、図５ないし図７を参照して、第２実施形態に係る永久磁石型同期電動機１Ｂについて説明する。
【００４２】
まず、ステータ（電機子）について、この第２実施形態では、図５（ａ），（ｂ）に示す構成のステータ２Ｂを備える。このステータ２Ｂにおいて、上記第１実施形態でのステータ２Ａと同一もしくは同一と見なされてよい要素には同じ参照を付している。
【００４３】
ステータ２Ｂは、環状に形成された断面四角形の鉄心２１を有し、この環状鉄心２１は、上記第１実施形態と同じく、非磁性体からなる支持部材２２を介して固定軸２３に固定される。なお、環状鉄心２１は、固定軸２３に直接固定されてもよい。また、支持部材２２は磁性体材料が用いられてもよい。さらに、環状鉄心２１には、電磁鋼鈑積層鉄心、圧粉鉄心もしくは焼結鉄心のいずれが用いられてよい。
【００４４】
この第２実施形態の永久磁石型同期電動機１Ｂも、上記第１実施形態と同じく三相８極であり、環状鉄心ア２１には、４０°間隔で９個の電機子ティース２１ａ〜２１ｉが設けられるが、ロータ３側の界磁との間で、ラジアルギャップ面と２つのアキシャルギャップ面の３面のギャップ面において有効な回転トルクが得られるようにするため、電機子ティース２１ａ〜２１ｉをサドル形状とし、各電機子ティース２１ａ〜２１ｉに集中巻電機子巻線Ｃを施すようにしている。なお、電機子ティース２１ａ〜２１ｉは同一形状であるため、区別する必要がない場合には、総称として電機子ティース２２０とする。
【００４５】
環状鉄心２１には、電機子巻線Ｃが施されるスロット２１１が円周方向に沿って所定の間隔をもって配置されている（この例で、そのスロット数は９個）。
【００４６】
隣接するスロット２１１間が電機子ティース２２０となるが、この第２実施形態において、電機子ティース２２０は、環状鉄心２１の外径面および両側面の３面（ラジアル側の１面とアキシャル側の２面）を含み、円周方向の幅が半径方向外側に向けて漸次大きくなるサドル状（立体台形の扇状）に形成されている。すなわち、この電機子ティース２２０は、１つのラジアルティース部と２つのアキシャルティース部とを備える。
【００４７】
スロット２１１内に電機子巻線Ｃが配線されるが、この第２実施形態において、電機子巻線Ｃは、図５（ｃ）に示すように、電機子ティース２２０の外径面（ラジアルティース部）および両側面（アキシャルティース部）の各周縁に沿わせて三次元集中巻きとして巻線される。
【００４８】
図６の結線図に、図５（ａ）における三相集中巻電機子巻線と、三相交流電源（Ｖｕ，Ｖｖ，Ｖｗ）との接続状態を示す。なお、図５（ａ），図６において、Ｕ相，Ｖ相，Ｗ相中のアッパーラインが付されている巻線は、アッパーラインが付されていない巻線とは逆巻きであることを示している。
【００４９】
この三相集中巻電機子巻線のＵ相（Ｕ１，Ｕ２，Ｕ３）、Ｖ相（Ｖ１，Ｖ２，Ｖ３）、Ｗ相（Ｗ１，Ｗ２，Ｗ３）に対して、三相交流電源より三相交流を通電することにより、環状鉄心２１には、最外径面側のラジアルティース部と、両側面のアキシャルティース部とに、空間的・時間的に同極の回転磁界が発生し、ロータ３Ｂ側の界磁との間でマックスウェルの応力が働き、所定方向に回転トルクが発生する。
【００５０】
次に、図７（ａ），（ｂ）を参照して、この第２実施形態におけるロータ３Ｂの構成について説明する。ロータ３Ｂは、永久磁石ユニット３１０と、永久磁石により磁化されて磁極となる界磁ティースユニット３２０とを備える。なお、この第２実施形態において、ブラケット４は非磁性体よりなる。
【００５１】
永久磁石ユニット３１０には、３つの永久磁石３１１，３１２，３１３が含まれ、これらの各永久磁石は、同一半径面に沿って存在している。このうち、永久磁石３１１はラジアル側で、ステータ（電機子）２Ｂの環状鉄心２１の外径側のラジアル面に対して、エアギャップ（ラジアルエアギャップ）Ｇ１を介して対向的に配置される。
【００５２】
永久磁石３１２，３１３はアキシャル側で、永久磁石３１２は、環状鉄心２１の図７（ａ）において左側の側面に対して、エアギャップ（アキシャルエアギャップ）Ｇ２を介して対向的に配置される。同様、永久磁石３１３は、環状鉄心２１の図７（ａ）において右側の側面に対して、エアギャップ（アキシャルエアギャップ）Ｇ３を介して対向的に配置される。エアギャップＧ１，Ｇ２，Ｇ３は、それぞれ等幅であることが好ましい。
【００５３】
なお、図７（ｂ）は図７（ａ）のＤ−Ｄ線断面図であるため、図７（ｂ）には図７（ａ）において左側の永久磁石３１２が示されていないが、図７（ｂ）において永久磁石３１２は永久磁石３１３の紙面手前側に配置されていると理解されたい。
【００５４】
この第２実施形態も三相８極であることから、永久磁石ユニット３１０は、４５゜間隔でブラケット４内の８個所に配置され、隣接する永久磁石ユニット３１０間に界磁ティースユニット３２０が配置される。
【００５５】
界磁ティースユニット３２０には、３つの界磁ティース３２１，３２２，３２３が含まれ、これらの各界磁ティース、同一半径面に沿って存在している。このうち、界磁ティース３２１はラジアル側で、ステータ（電機子）２Ｂの環状鉄心２１の外径側のラジアル面に対して、エアギャップ（ラジアルエアギャップ）Ｇ１を介して対向的に配置される。
【００５６】
界磁ティース３２２，３２３はアキシャル側で、界磁ティース３２２は、環状鉄心２１の図７（ａ）において左側の側面に対して、エアギャップ（アキシャルエアギャップ）Ｇ２を介して対向的に配置される。同様、界磁ティース３２３は、環状鉄心２１の図７（ａ）において右側の側面に対して、エアギャップ（アキシャルエアギャップ）Ｇ３を介して対向的に配置される。
【００５７】
なお、図７（ｂ）は図７（ａ）のＤ−Ｄ線断面図であるため、図７（ｂ）には図７（ａ）において左側の界磁ティース３２２が示されていないが、図７（ｂ）において界磁ティース３２２は永久磁石３１３の紙面手前側に配置されていると理解されたい。
【００５８】
界磁ティース３２１，３２２，３２３は、電磁鋼鈑積層鉄心、圧粉鉄心もしくは焼結鉄心のいずれであってもよいが、電磁鋼鈑積層鉄心を採用する場合、ラジアル側の界磁ティース３２１の積層方向は、図７（ａ）において左右方向であり、アキシャル側の界磁ティース３２２，３２３の積層方向は、図７（ａ）において上下方向（半径方向）であることが好ましいが、左右方向（軸線方向）であってもよい。
【００５９】
永久磁石ユニット３１０に含まれる永久磁石３１１，３１２，３１３の磁化方向（着磁方向）は、ともに円周方向で同一方向であるが、ユニット単位で交互に磁化方向が逆向きとされる。
【００６０】
すなわち、上記したように三相８極で、永久磁石ユニット３１０が４５゜間隔で８個所に配置されるとした場合、例えば奇数番目の永久磁石ユニット３１０が時計回り方向に磁化されるとすれば、偶数番目の永久磁石ユニット３１０は反時計回り方向に磁化される。
【００６１】
これにより、界磁ティースユニット３２０に含まれる界磁ティース３２１，３２２，３２３が交互に逆極に磁化される。８極のうち、奇数極目の界磁ティースユニット３２０がＮ極に磁化されるとすれば、偶数極目の界磁ティースユニット３２０はＳ極に磁化されることになる。
【００６２】
上記第２実施形態においても、ステータ（電機子）２Ｂの外径面側のラジアル面と、両側面側の２つのアキシャル面の３面に対向して、ロータ３Ｂ側に永久磁石ユニット３１０により所定の極性に磁化された界磁ティースユニット３２０が配置されることにより、ラジアルエアギャップとアキシャルエアギャップの両エアギャップを有効に利用した複合型エアギャップを有し、より大きなトルク密度・出力密度が得られるアウターロータ式の永久磁石型同期電動機を提供することができる。
【００６３】
なお、本発明には、上記第１，第２実施形態のほかに、上記第１実施形態での図２に示すステータ（電機子）２Ａと、上記第２実施形態による図７に示すロータ（界磁）３Ｂとの組み合わせ、または、上記第２実施形態での図５に示すステータ（電機子）２Ｂと、上記第１実施形態による図４に示すロータ（界磁）３Ａとの組み合わせも含まれ、いずれの組み合わせによるにしても、ラジアルエアギャップとアキシャルエアギャップの両エアギャップを有効に利用した、より大きなトルク密度・出力密度が得られるアウターロータ式の永久磁石型同期電動機を提供することができる。
【符号の説明】
【００６４】
１Ａ，１Ｂ  永久磁石型同期電動機
２Ａ，２Ｂ  ステータ（電機子）
２１  環状鉄心
２２  支持部材
２３  固定軸
３Ａ，３Ｂ  ロータ（界磁）
４  ブラケット
５  軸受け
【図１】
2014230390.tif 000003
【図２】
2014230390.tif 000004
【図３】
2014230390.tif 000005
【図４】
2014230390.tif 000006
【図５】
2014230390.tif 000007
【図６】
2014230390.tif 000008
【図７】
2014230390.tif 000009
【図８】
2014230390.tif 000010
【図９】
2014230390.tif 000011
【図１０】
2014230390.tif 000012
【手続補正書】
【提出日】平成25年6月5日(2013.6.5)
【手続補正１】
【補正対象書類名】明細書
【補正対象項目名】００３２
【補正方法】変更
【補正の内容】
【００３２】
図３の結線図に、図２（ａ）における三相８極のトロイダル巻線と、三相交流電源（Ｖｕ，Ｖｖ，Ｖｗ）との接続状態を示す。なお、図２（ａ），図３において、Ｕ相，Ｖ相，Ｗ相中のアッパーラインが付されている巻線は、アッパーラインが付されていない巻線とは逆巻きであることを示しているが、本明細書では、逆向き巻線には便宜上アンダーラインを付している。
【手続補正２】
【補正対象書類名】明細書
【補正対象項目名】００４８
【補正方法】変更
【補正の内容】
【００４８】
図６の結線図に、図５（ａ）における三相集中巻電機子巻線と、三相交流電源（Ｖｕ，Ｖｖ，Ｖｗ）との接続状態を示す。なお、図５（ａ），図６において、Ｕ相，Ｖ相，Ｗ相中のアッパーラインが付されている巻線は、アッパーラインが付されていない巻線とは逆巻きであることを示しているが、本明細書では、逆向き巻線には便宜上アンダーラインを付している。
【手続補正書】
【提出日】平成25年7月31日(2013.7.31)
【手続補正１】
【補正対象書類名】明細書
【補正対象項目名】０００２
【補正方法】変更
【補正の内容】
【０００２】
アウターロータ式の永久磁石型同期電動機は、ステータの周りにロータを配置してなる電動機で、図８に示すように、基本的な構成として、電機子１１１を有するステータ１１０と、永久磁石を界磁１２１とするロータ１２０とを備え、電機子１１１は、図示しない電機子巻線が施された状態で、電機子鉄心のヨーク部１１２が固定軸１３０に固定される。
【手続補正２】
【補正対象書類名】明細書
【補正対象項目名】００４３
【補正方法】変更
【補正の内容】
【００４３】
ステータ２Ｂは、環状に形成された断面四角形の鉄心２１を有し、この環状鉄心２１は、上記第１実施形態と同じく、非磁性体からなる支持部材２２を介して固定軸２３に固定される。なお、環状鉄心２１は、非磁性体の支持部材２２を介さず固定軸２３に直接固定されてもよい。また、支持部材２２は磁性体材料が用いられてもよい。さらに、環状磁心２１には、電磁鋼鈑積層鉄心、圧粉磁心もしくは焼結
磁心などが用いられてよい。
【手続補正３】
【補正対象書類名】明細書
【補正対象項目名】００４９
【補正方法】変更
【補正の内容】
【００４９】
この三相集中巻電機子巻線のＵ相（Ｕ１，Ｕ２，Ｕ３）、Ｖ相（Ｖ１，Ｖ２，Ｖ３）、Ｗ相（Ｗ１，Ｗ２，Ｗ３）に対して、三相交流電源より三相交流を通電することにより、環状鉄心２１には、最外径面側のラジアルティース部と、両側面のアキシャルティース部とに、空間的・時間的に同一極性で、かつ、ロータ３の界磁と同じ８極の回転磁界が発生し、ロータ３Ｂ側の界磁との間でマックスウェルの応力が働き、所定方向に回転トルクが発生する。
【手続補正４】
【補正対象書類名】明細書
【補正対象項目名】００６１
【補正方法】変更
【補正の内容】
【００６１】
これにより、界磁ティースユニット３２０に含まれる界磁ティース３２１，３２２，３２３が交互に逆極性に磁化される。８極のうち、奇数極目の界磁ティースユニット３２０がＮ極に磁化されるとすれば、偶数極目の界磁ティースユニット３２０はＳ極に磁化されることになる。